(57)【特許請求の範囲】
【請求項１】
食品を収容する容器本体と、該容器本体の開放口側の端部にヒンジ部を介して連結された蓋体と、を備え、前記容器本体と前記ヒンジ部と前記蓋体とが一体に成形されている蓋付き容器であって、
前記容器本体の開放口側の端部には、容器側フランジ部が設けられているとともに、前記蓋体の外縁部には、該蓋体が閉じられた状態において前記容器側フランジ部に重ねられる蓋側フランジ部が設けられ、
前記ヒンジ部は、前記容器側フランジ部と前記蓋側フランジ部との間に形成され、
前記ヒンジ部は互いに間隔をあけて複数設けられ、隣り合う前記ヒンジ部の間には、流動体状の添加食品を収容した袋体が挿入可能な開口が形成され、
隣り合う前記ヒンジ部の間には、環状のミシン目が形成されており、
該ミシン目に沿って切断して該ミシン目の内側を抜き取ることにより、前記開口が形成され、
前記開口における前記ヒンジ部の軸線に沿う開口幅は、前記袋体の幅よりも広く設定されていることを特徴とする蓋付き容器。
【発明の詳細な説明】
【技術分野】
【０００１】
本発明は、食品用の蓋付き容器に関する。
【背景技術】
【０００２】
従来、上記の蓋付き容器として、特許文献１に開示されているように、例えば納豆を収容するための蓋付き容器がある。この納豆用の蓋付き容器は、納豆を収容する平面視矩形の浅皿状の容器本体と、その容器本体の開放口側の端部に薄肉のヒンジ部（折り曲げ部）を介して連結された蓋体と、を備えており、上記した容器本体、ヒンジ部及び蓋体は一体に成形されている。また、上記ヒンジ部は、容器平面視における容器本体の一辺の全長に亘って延設されている。また、上記した納豆用の蓋付き容器には、納豆の他に、納豆に添加するタレや辛子等の調味料を収容した袋体が収容されている場合が多い。
【０００３】
上記した蓋付き容器に収容された納豆を食する際には、まず、蓋体をあけて容器本体の中に収容されている調味料の袋体を取り出す。そして、この袋体を開封し、袋体内の調味料を容器本体内の納豆に添加する。
【特許文献１】特開２００６−１９９３６４号公報
【発明の開示】
【発明が解決しようとする課題】
【０００４】
しかしながら、上記した従来の蓋付き容器では、袋体に収容された調味料を納豆に添加する際、袋体内の調味料を手で搾り出そうとすると、指に調味料が付着して汚れるという問題がある。
【０００５】
本発明は、上記した従来の問題が考慮されたものであり、指を汚すことなく、袋体に収容された流動体状の添加食品を搾り出すことができる蓋付き容器を提供することを目的としている。
【課題を解決するための手段】
【０００６】
本発明に係る蓋付き容器は、食品を収容する容器本体と、該容器本体の開放口側の端部にヒンジ部を介して連結された蓋体と、を備え、前記容器本体と前記ヒンジ部と前記蓋体とが一体に成形されている蓋付き容器であって、前記容器本体の開放口側の端部には、容器側フランジ部が設けられているとともに、前記蓋体の外縁部には、該蓋体が閉じられた状態において前記容器側フランジ部に重ねられる蓋側フランジ部が設けられ、前記ヒンジ部は、前記容器側フランジ部と前記蓋側フランジ部との間に形成され、前記ヒンジ部は互いに間隔をあけて複数設けられ、隣り合う前記ヒンジ部の間には、流動体状の添加食品を収容した袋体が挿入可能な開口が形成され、隣り合う前記ヒンジ部の間には、環状のミシン目が形成されており、該ミシン目に沿って切断して該ミシン目の内側を抜き取ることにより、前記開口が形成され、前記開口における前記ヒンジ部の軸線に沿う開口幅は、前記袋体の幅よりも広く設定されていることを特徴としている。
【０００７】
このような特徴により、袋体内の添加食品を容器本体内の食品に添加する際、まず、蓋体を開けて、開封した袋体をヒンジ部間の開口の中に挿入する。このとき、袋体の開封口を容器本体の内側へ向けておく。その後、蓋体を閉じる。これにより、上記開口内に挿入された袋体は、容器本体と蓋体とで挟まれた状態となる。次に、上記袋体を容器の外側へ引き出すように引っ張る。これにより、袋体の中に収容された添加食品は、容器本体の中に搾り出される。
【０００９】
また、上記開口に袋体が挿入された状態で蓋体を閉じたとき、前記袋体は、容器側フランジ部と蓋側フランジ部との間に挟まれる。つまり、袋体は、面（フランジ面）と面（フランジ面）との間に挟み込まれる。
【００１１】
さらに、上記のような蓋付き容器では、ミシン目に沿って切断する前は、ヒンジ部間の開口が塞がれた状態となるため、容器強度が向上する。したがって、ミシン目を切断せずに商品を搬送したり店頭に陳列したりする。また、ミシン目が形成されているため、ミシン目に沿って容易に切断することが可能である。したがって、消費者が食品を食する際に、消費者の手でミシン目に沿って切断してミシン目の内側を抜き取ることで、ヒンジ部間の開口が形成される。
【発明の効果】
【００１２】
本発明に係る蓋付き容器によれば、添加食品を収容した袋体をヒンジ部間の開口に挿入した後、蓋体を閉じて蓋体と容器本体との間に袋体を挟み込み、その後、袋体を容器外側に引っ張ることで、指を汚すことなく、袋体内の添加食品を容器本体内に搾り出すことができる。また、袋体内の添加食品の残量を低減させることができる。
【発明を実施するための最良の形態】
【００１３】
以下、本発明に係る蓋付き容器の実施の形態について、図面に基いて説明する。
【００１４】
図１〜図３は本発明の一例である蓋付き容器１を表した斜視図である。
図１〜図３に示すように、蓋付き容器１は、納豆Ｘ（本発明の食品に相当する。）用の容器であり、例えばポリスチレン等からなる合成樹脂製の容器である。なお、紙等の合成樹脂以外の材料からなる容器であってもよい。
【００１５】
蓋付き容器１は、納豆Ｘを収容する容器本体２と、容器本体２の開放口２ａ側の端部（上端部）にヒンジ部３を介して連結された蓋体４と、を備えている。上記した容器本体２とヒンジ部３と蓋体４とは一体に成形されている。
【００１６】
容器本体２は、上側に開放された矩形箱状のものであり、その開放口２ａ側の端部に容器側フランジ部２２が形成されている。詳しく説明すると、容器本体２は、略矩形状の底板部２０と、底板部２０の外縁から立設された側板部２１と、側板部２１の上端から容器本体２の外方側に突出した容器側フランジ部２２と、を備えている。上記側板部２１及び容器側フランジ部２２は、容器本体２の全周に亘ってそれぞれ形成されている。
【００１７】
蓋体４は、中央部が一方側（図３に示す閉じられた状態において上側）に膨出された浅皿形状のものであり、その外縁部に蓋側フランジ部４２が形成されている。詳しく説明すると、蓋体４は、略矩形状の天板部４０と、天板部４０の外縁から垂設された側板部４１と、側板部４１の下端から蓋体４の外方側に突出した蓋側フランジ部４２と、を備えている。上記側板部４１及び蓋側フランジ部４２は、蓋体４の全周に亘ってそれぞれ形成されている。また、側板部４１は、天板部４０側から蓋側フランジ部４２側に向うに従い漸次拡径されたテーパー形状になっている。また、蓋側フランジ部４２は、上記した容器側フランジ部２２と同一形状を成しており、図３に示すように、蓋体４が閉状態において上記した容器側フランジ部２２に重ね合わせられる。
【００１８】
ヒンジ部３は、蓋体４を開閉させるための薄肉の折り曲げ部であり、このヒンジ部３によって容器本体２と蓋体４とはヒンジ部３の軸線Ｌ周りに相対的に回転可能になっている。このヒンジ部３は、容器側フランジ部２２の外縁部と蓋側フランジ部４２の外縁部との間に形成されている。また、ヒンジ部３は、容器側フランジ部２２や蓋側フランジ部４２の延在方向に間隔をあけて複数（２つ）設けられている。これら隣り合う一対のヒンジ部３，３の間には、開口６が形成されている。この開口６は、後述する袋体（タレ袋Ｙ１や辛子袋Ｙ２）の中に収容された添加食品（タレや辛子）を容器本体２内に搾り出すための開口であって、タレ袋Ｙ１や辛子袋Ｙ２が挿入可能な大きさを成している。詳しく説明すると、容器本体２の容器側フランジ部２２の中央部分、及び、前記容器側フランジ部２２に対応する蓋側フランジ部４２の中央部分には、コ字状の切欠き２２ａ，４２ａがそれぞれ形成されており、蓋体４が開けられた状態において、上記切欠き２２ａ，４２ａが向かい合わせに配設されて矩形状の開口６が形成されている。
【００１９】
また、上記した構成からなる蓋付き容器１内には、流動体状の添加食品を収容した袋体、具体的に説明すると、タレを収容したタレ袋Ｙ１と、辛子を収容した辛子袋Ｙ２がそれぞれ収容されている。より詳しく説明すると、図１に示すように、蓋付き容器１内には、納豆Ｘが収容されており、この納豆Ｘの上には、ビニールシートＺが被覆されている。さらに、そのビニールシートＺの上に、上記したタレ袋Ｙ１及び辛子袋Ｙ２がそれぞれ載せられている。
【００２０】
次に、上記した構成からなる蓋付き容器１の作用について説明する。
【００２１】
まず、図１に示すように、蓋体４をヒンジ部３の軸線Ｌ周りに回転させて蓋体４を開ける。そして、容器本体２内に収容されているタレ袋Ｙ１及び辛子袋Ｙ２をそれぞれ取り出すとともに、ビニールシートZを納豆Ｘから剥し取る。
次に、図２に示すように、タレ袋Ｙ１を開封し、その開封されたタレ袋Ｙ１をヒンジ部３，３間の開口６の中に挿入する。このとき、タレ袋Ｙ１の開封口を容器本体２の内側へ向けてタレ袋Ｙ１を配置する。
【００２２】
次に、図３に示すように、蓋体４をヒンジ部３の軸線Ｌ周りに回転させて蓋体４を閉じる。これにより、上記開口６内に挿入されたタレ袋Ｙ１は、容器本体２と蓋体４とで挟んだ状態、つまり容器側フランジ部２２と蓋側フランジ部４２との間に挟み込まれた状態となる。
次に、図３に示すように、開口６から蓋付き容器１の外部へ突出した上記タレ袋Ｙ１の端部（タレ袋Ｙ１の開封口側の反対側部分）を摘んで、当該タレ袋Ｙ１を容器１の外側（図３に示す矢印方向）へ引き出すように引っ張る。これにより、タレ袋Ｙ１の中に収容されたタレが容器本体２の中に搾り出される。
なお、辛子袋Ｙ２内の辛子も、上述したタレ袋Ｙ１と同様にして容器本体２の中に搾り出される。
【００２３】
上記した構成からなる蓋付き容器１によれば、指を汚すことなく、タレ袋Ｙ１内のタレや辛子袋Ｙ２内の辛子を容器本体２内に搾り出すことができる。つまり、タレ袋Ｙ１内のタレや辛子袋Ｙ２内の辛子を搾り出す際に、タレや辛子が指に付着するのを防ぐことができる。また、タレ袋Ｙ１内のタレや辛子袋Ｙ２内の辛子の残量を低減させることができる。
【００２４】
また、上記した構成からなる蓋付き容器１によれば、開口６内にタレ袋Ｙ１や辛子袋Ｙ２を挿入した後に蓋体４を閉じたとき、タレ袋Ｙ１や辛子袋Ｙ２は、容器側フランジ部２２と蓋側フランジ部４２との間、つまり面と面との間に挟み込まれるため、タレ袋Ｙ１内のタレや辛子袋Ｙ２内の辛子が、より一層搾り出し易くなる。
【００２５】
以上、本発明に係る蓋付き容器の実施の形態について説明したが、本発明は上記した実施の形態に限定されるものではなく、その趣旨を逸脱しない範囲で適宜変更可能である。
例えば、上記した実施の形態では、ヒンジ部３，３間に開口６が予め形成された形状になっているが、本発明は、商品（納豆Ｘ）を消費する際に開口６が開けられる構成であってもよい。詳しく説明すると、図４に示すように、隣り合うヒンジ部３，３の間に、環状のミシン目７が形成され、このミシン目７に沿って切断してミシン目７の内側を抜き取ることにより、上記開口６が形成される構成にすることも可能である。上記したミシン目７は、手で切断できる程度の易裂性を有するものである。このような蓋付き容器１では、ミシン目７に沿って切断する前は、ヒンジ部３，３間の開口６が塞がれた状態となっているため、蓋付き容器１の強度が向上する。したがって、ミシン目７を切断せずに商品を搬送したり店頭に陳列したりすることで、商品流通時や商品陳列時の衝撃で蓋付き容器１のヒンジ部３が破損することを防止することができる。また、ミシン目７に沿って容易に切断することが可能であるため、消費者が食品を食する際に、消費者の手でミシン目７に沿って切断することで、ヒンジ部３，３間の開口６が簡単に形成される。これにより、消費者にとって使い易い蓋付き容器１となる。
【００２６】
また、上記した実施の形態では、容器本体２や蓋体４が矩形状になっているが、本発明は、容器本体２や蓋体４の形状は適宜変更可能であり、例えば、平面視円形の丸型の容器本体と蓋体であってもよい。
【００２７】
また、上記した実施の形態では、ヒンジ部３が２つ備えられ、これらヒンジ部３，３間に開口６が１つ形成されているが、本発明は、ヒンジ部３が３つ以上備えられ、開口６が２つ以上形成されていてもよい。
【００２８】
また、上記した実施の形態では、容器本体２内に納豆Ｘが収容されており、また、ヒンジ部３，３間の開口６によってタレ袋Ｙ１内のタレや辛子袋Ｙ２内の辛子が搾り出される構成になっているが、本発明は、納豆Ｘを収容するための蓋付き容器１に限定されるものではなく、納豆Ｘ以外の食品を収容する蓋付き容器であってもよい。例えば、カップ焼きそば用の蓋付き容器としても用いることが可能であり、この場合、液体ソース等が収容された袋体を開口６によって搾り出すことができる。
【００２９】
また、上記した実施の形態では、タレ袋Ｙ１や辛子袋Ｙ２が納豆Ｘとともに容器本体２内に収容されているが、本発明は、添加食品を収容した袋体（タレ袋Ｙ１や辛子袋Ｙ２等）が、蓋体４内に収容された構成であってもよく、或いは、蓋付き容器１の外面にテープ等で貼り付けられた構成であってもよい。さらに、本発明は、添加食品を収容した袋体が、蓋付き容器１とは別になっていてもよい。
【００３０】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００３１】
【図１】本発明の実施の形態を説明するための蓋付き容器の斜視図である。
【図２】本発明の実施の形態を説明するための蓋付き容器の斜視図である。
【図３】本発明の実施の形態を説明するための蓋付き容器の斜視図である。
【図４】本発明の他の実施の形態を説明するための蓋付き容器の斜視図である。
【符号の説明】
【００３２】
１  蓋付き容器
２  容器本体
３  ヒンジ部
４  蓋体
６  開口
７  ミシン目
２２  容器側フランジ部
４２  蓋側フランジ部
Ｘ  納豆（食品）
Ｙ１  タレ袋（袋体）
Ｙ２  辛子袋（袋体）
【図１】
0005081530.tif 000002
【図２】
0005081530.tif 000003
【図３】
0005081530.tif 000004
【図４】
0005081530.tif 000005